(57)【要約】【課題】上位制御装置にかかる負担を軽減することが可能な光伝送装置を提供すること。【解決手段】複数の波長の光を含む光信号を増幅するプリアンプ１１と、光の波長数を増減させる増減手段１３，１４と、光信号を増幅して出力するブースタアンプ１７と、光信号のパワーを検出する第１検出手段１２および第２検出手段１６と、第１検出手段によって検出されたパワーを波長数によって除算することで一波長あたりのパワーを求め、損失を一波長あたりのパワーから減ずることで予想光パワーを算出する第１算出手段１８と、第２検出手段によって検出されたパワーを、増減の結果として得られる波長数によって除算することで一波長の実測光パワーを算出する第２算出手段１８と、実測光パワーが予想光パワーから所定値以上乖離している場合には、異常が発生したと判定する判定手段１８と、を有することを特徴とする。【選択図】図１
2011151584.tif 000002
【特許請求の範囲】
【請求項１】
複数の波長の光を含む光信号の入力を受けて増幅するプリアンプと、
前記光信号に含まれる光の波長数を増減させる増減手段と、
前記増減手段から出力される前記光信号を増幅して出力するブースタアンプと、
前記プリアンプから出力される前記光信号のパワーを検出する第１検出手段と、
前記ブースタアンプに入力される前記光信号のパワーを検出する第２検出手段と、
前記第１検出手段によって検出されたパワーを、入力される光信号に含まれる波長数によって除算することで一波長あたりのパワーを求め、前記プリアンプの出力から前記ブースタアンプの入力までの間における損失を前記一波長あたりのパワーから減ずることで前記ブースタアンプの予想光パワーを算出する第１算出手段と、
前記第２検出手段によって検出されたパワーを、前記増減手段による増減の結果として得られる波長数によって除算することで一波長の実測光パワーを算出する第２算出手段と、
前記実測光パワーが前記予想光パワーから所定値以上乖離している場合には、異常が発生したと判定する判定手段と、
を有することを特徴とする光伝送装置。
【請求項２】
前記増減手段は、光クロスコネクトまたはスプリッタであることを特徴とする請求項１記載の光伝送装置。
【請求項３】
前記光クロスコネクトは、前記プリアンプから入力された光信号に対して、他の光伝送装置から供給された所定の波長数の光信号を付加するか、または、前記プリアンプから入力された光信号の中から所定の波長数の光信号を他の光伝送装置に対して転送することを特徴とする請求項２記載の光伝送装置。
【請求項４】
前記入力される光信号に含まれる波長数および前記増減手段による増減の結果として得られる波長数を示す情報を、上位の制御装置としての上位制御装置から取得することを特徴とする請求項１乃至３のいずれか１項に記載の光伝送装置。
【請求項５】
前記入力される光信号に含まれる波長数および前記増減手段による増減の結果として得られる波長数を示す情報を、光チャンネルモニタによって取得することを特徴とする請求項１乃至３のいずれか１項に記載の光伝送装置。
【請求項６】
前記判定手段によって異常が発生したと判定された場合には、前記プリアンプまたは前記ブースタアンプのゲインを調整することで、異常の回復を図る回復手段を有していることを特徴とする請求項１乃至５のいずれか１項に記載の光伝送装置。
【請求項７】
前記回復手段は、回復に失敗した場合には、上位制御装置に対して異常の発生を通知することを特徴とする請求項６記載の光伝送装置。
【請求項８】
前記プリアンプ、前記増減手段、および、前記ブースタアンプは、それぞれ固有の制御部を有し、当該制御部は入力される光信号が遮断された場合には、アラームを発出し、
前記判定手段は、前記制御部によってアラームが発出された場合であっても、当該アラームを発出した制御部よりも前段の制御部がアラームを発出している場合には、後段の制御部が発出するアラームについては無視することを特徴とする請求項１乃至７のいずれか１項記載の光伝送装置。
【請求項９】
前記判定手段は、アラームを発出している制御部のうち、最上流に存在する制御部に対応する装置が異常の発生源として特定することを特徴とする請求項８に記載の光伝送装置。
【請求項１０】
前記増減手段は光クロスコネクトであり、
前記判定手段は前記光クロスコネクトの設定情報を参照し、前記光クロスコネクトから光信号が出力される状態である場合に、前記第２検出手段によって光信号が検出されないときには、前記光クロスコネクトにおいて異常が発生していると判定することを特徴とする請求項１乃至９のいずれか１項に記載の光伝送装置。
【請求項１１】
複数の波長の光を含む光信号の入力を受けて増幅するプリアンプと、前記光信号に含まれる光の波長数を増減させる増減手段と、前記増減手段から出力される前記光信号を増幅して出力するブースタアンプと、前記プリアンプから出力される前記光信号のパワーを検出する第１検出手段と、前記ブースタアンプに入力される前記光信号のパワーを検出する第２検出手段と、を有する光伝送装置の制御方法において、
前記第１検出手段によって検出されたパワーを、入力される光信号に含まれる波長数によって除算することで一波長あたりのパワーを求め、前記プリアンプの出力から前記ブースタアンプの入力までの間における損失を前記一波長あたりのパワーから減ずることで前記ブースタアンプの予想光パワーを算出する第１算出ステップと、
前記第２検出手段によって検出されたパワーを、前記増減手段による増減の結果として得られる波長数によって除算することで一波長の実測光パワーを算出する第２算出ステップと、
前記実測光パワーが前記予想光パワーから所定値以上乖離している場合には、異常が発生したと判定する判定ステップと、
を有することを特徴とする光伝送装置の制御方法。
【発明の詳細な説明】
【技術分野】
【０００１】
本発明は、光伝送装置および光伝送装置の制御方法に関するものである。
【背景技術】
【０００２】
光通信システムにおけるノードは、プリアンプ、ブースタアンプ、光スプリッタ、および、光クロスコネクト等の複数の光サブシステムモジュール（以下、単に「光モジュール」と称する）によって構成され、それぞれの光モジュールは上位システムによって制御（または監視）されている。各光モジュールは、それぞれの光モジュールで検出できる情報から異常を検出した場合には、アラームを発出する機能を有している。
【０００３】
例えば、各光モジュールは入力光のパワーをモニタし、それぞれの光モジュールに設定されたアラーム閾値と比較し、モニタされるパワーがアラーム閾値よりも小さくなった場合には、入力断を示すアラームを発出するように構成されている。
【０００４】
ところで、各光モジュールは、上位制御装置（上位システム）からの指令により、独立に制御されており、自モジュール以外の情報を知ることができない。このため、例えば、ある光モジュールで異常が発生した場合、それ以降の光モジュールは全て異常の発生を上位制御装置に通知することから、上位制御装置での処理が非常に煩雑となる。
【０００５】
そこで、各光モジュールにおいて、アラーム閾値を変更可能にすることで、各光モジュールにおいて検出される異常の発生頻度を変更するための技術が開示されている（特許文献１）。
【先行技術文献】
【特許文献】
【０００６】
【特許文献１】特開２００８−０９８８７３号公報
【発明の概要】
【発明が解決しようとする課題】
【０００７】
しかしながら、特許文献１に開示された技術では、各光モジュールで発生した異常は、全て上位制御装置に通知され、各光モジュールから通知された情報を集約することで、どの光モジュールにおいて異常が発生したかを上位制御装置が判断する。このため、上位制御装置は、各光モジュールからの情報を集約する処理が負荷となるという問題点がある。
【０００８】
そこで、本発明が解決しようとする課題は、上位制御装置に負担が少ない光伝送装置および光伝送装置の制御方法を提供することである。
【課題を解決するための手段】
【０００９】
上記課題を解決するために、本発明の光伝送装置は、複数の波長の光を含む光信号の入力を受けて増幅するプリアンプと、前記光信号に含まれる光の波長数を増減させる増減手段と、前記増減手段から出力される前記光信号を増幅して出力するブースタアンプと、前記プリアンプから出力される前記光信号のパワーを検出する第１検出手段と、前記ブースタアンプに入力される前記光信号のパワーを検出する第２検出手段と、前記第１検出手段によって検出されたパワーを、入力される光信号に含まれる波長数によって除算することで一波長あたりのパワーを求め、前記プリアンプの出力から前記ブースタアンプの入力までの間における損失を前記一波長あたりのパワーから減ずることで前記ブースタアンプの予想光パワーを算出する第１算出手段と、前記第２検出手段によって検出されたパワーを、前記増減手段による増減の結果として得られる波長数によって除算することで一波長の実測光パワーを算出する第２算出手段と、前記実測光パワーが前記予想光パワーから所定値以上乖離している場合には、異常が発生したと判定する判定手段と、を有することを特徴とする。
このような構成によれば、上位システムにかかる負担を軽減することが可能になる。
【００１０】
また、他の発明は、上記発明に加えて、前記増減手段は、光クロスコネクトまたはスプリッタであることを特徴とする。
このような構成によれば、光クロスコネクトまたはスプリッタによって波長数が増減される場合であっても、異常の発生を正確に判定することが可能になる。
【００１１】
また、他の発明は、上記発明に加えて、前記光クロスコネクトは、前記プリアンプから入力された光信号に対して、他の光伝送装置から供給された所定の波長数の光信号を付加するか、または、前記プリアンプから入力された光信号の中から所定の波長数の光信号を他の光伝送装置に対して転送することを特徴とする。
このような構成によれば、他の光伝送装置との間で光信号の授受が行われる場合であっても、異常の発生を正確に判定することが可能になる。
【００１２】
また、他の発明は、上記発明に加えて、前記入力される光信号に含まれる波長数および前記増減手段による増減の結果として得られる波長数を示す情報を、上位の制御装置としての上位制御装置から取得することを特徴とする。
このような構成によれば、他の光伝送装置との間で光信号の授受が行われる場合であっても、上位制御装置からの情報に基づいて、異常の発生を正確に判定することが可能になる。
【００１３】
また、他の発明は、上記発明に加えて、前記入力される光信号に含まれる波長数および前記増減手段による増減の結果として得られる波長数を示す情報を、光チャンネルモニタによって取得することを特徴とする。
このような構成によれば、他の光伝送装置との間で光信号の授受が行われる場合であっても、光チャンネルモニタからの情報に基づいて、異常の発生を正確に判定することが可能になる。また、光チャンネルモニタからの情報に基づくことで、上位制御装置との間の通信が不要になることから、上位制御装置にかかる負荷を一層減少させることができる。
【００１４】
また、他の発明は、上記発明に加えて、前記判定手段によって異常が発生したと判定された場合には、前記プリアンプまたは前記ブースタアンプのゲインを調整することで、異常の回復を図る回復手段を有していることを特徴とする。
このような構成によれば、異常が発生した場合であっても、個々の光伝送装置において回復を図ることにより、システム全体での通信の遮断状態を最少に留めることが可能になる。
【００１５】
また、他の発明は、上記発明に加えて、前記回復手段は、回復に失敗した場合には、上位制御装置に対して異常の発生を通知することを特徴とする。
このような構成によれば、回復できなかった場合に初めて上位制御装置に通知されることから、上位制御装置の負担を軽減することができる。
【００１６】
また、他の発明は、上記発明に加えて、前記プリアンプ、前記増減手段、および、前記ブースタアンプは、それぞれ固有の制御部を有し、当該制御部は入力される光信号が遮断された場合には、アラームを発出し、前記判定手段は、前記制御部によってアラームが発出された場合であっても、当該アラームを発出した制御部よりも前段の制御部がアラームを発出している場合には、後段の制御部が発出するアラームについては無視することを特徴とする。
このような構成によれば、アラームの発出が重複した場合であっても、負荷が増大することを防止できる。
【００１７】
また、他の発明は、上記発明に加えて、前記判定手段は、アラームを発出している制御部のうち、最上流に存在する制御部に対応する装置が異常の発生源として特定することを特徴とする。
このような構成によれば、異常の発生源を特定することができるので、回復処理を迅速に実行することができるとともに、アラームの発出が重複した場合であっても、負荷が増大することを防止できる。
【００１８】
また、他の発明は、上記発明に加えて、前記増減手段は光クロスコネクトであり、前記判定手段は前記光クロスコネクトの設定情報を参照し、前記光クロスコネクトから光信号が出力される状態である場合に、前記第２検出手段によって光信号が検出されないときには、前記光クロスコネクトにおいて異常が発生していると判定することを特徴とする。
このような構成によれば、光チャンネルモニタによってチャンネルの異常を検出する場合に比較して、光クロスコネクトの異常を迅速に検出することができる。
【００１９】
また、本発明は、複数の波長の光を含む光信号の入力を受けて増幅するプリアンプと、前記光信号に含まれる光の波長数を増減させる増減手段と、前記増減手段から出力される前記光信号を増幅して出力するブースタアンプと、前記プリアンプから出力される前記光信号のパワーを検出する第１検出手段と、前記ブースタアンプに入力される前記光信号のパワーを検出する第２検出手段と、を有する光伝送装置の制御方法において、前記第１検出手段によって検出されたパワーを、入力される光信号に含まれる波長数によって除算することで一波長あたりのパワーを求め、前記プリアンプの出力から前記ブースタアンプの入力までの間における損失を前記一波長あたりのパワーから減ずることで前記ブースタアンプの予想光パワーを算出する第１算出ステップと、前記第２検出手段によって検出されたパワーを、前記増減手段による増減の結果として得られる波長数によって除算することで一波長の実測光パワーを算出する第２算出ステップと、前記実測光パワーが前記予想光パワーから所定値以上乖離している場合には、異常が発生したと判定する判定ステップと、を有することを特徴とする。
このような方法によれば、上位システムにかかる負担を軽減することが可能になる。
【発明の効果】
【００２０】
本発明によれば、上位制御装置に負担が少ない光伝送装置および光伝送装置の制御方法を提供することが可能となる。
【図面の簡単な説明】
【００２１】
【図１】本発明の第１実施形態に係る光伝送装置の構成例を示す図である。
【図２】図１に示す制御装置の構成例を示す図である。
【図３】図１に示す第１実施形態の各部における波長数を示す図である。
【図４】本発明の実施形態において実行される処理の一例を説明するためのフローチャートである。
【図５】本発明の第２実施形態に係る光伝送装置の構成例を示す図である。
【図６】本発明の第３実施形態に係る光伝送装置の構成例を示す図である。
【図７】図６に示す第３実施形態の各部における波長数を示す図である。
【図８】本発明の第４実施形態に係る光伝送装置の構成例を示す図である。
【図９】本発明の第４実施形態に係る光伝送装置の構成例を示す図である。
【図１０】本発明の第７実施形態に係る光伝送装置の構成例を示す図である。
【発明を実施するための形態】
【００２２】
次に、本発明の実施形態について説明する。
【００２３】
（Ａ）第１実施形態
図１は本発明の第１実施形態に係る伝送装置の構成例を示す図である。この図１に示すように、第１実施形態に係る光伝送装置１は、プリアンプ１１、フォトダイオード（Photo Diode）１２、スプリッタ１３、光クロスコネクト１４、光チャンネルモニタ１５、フォトダイオード１６、ブースタアンプ１７、および、制御装置１８を主要な構成要素としている。なお、光伝送装置１は、上位制御装置１９と接続され、上位制御装置１９からの指示に基づいて、制御装置１８が光伝送装置１の各部の制御を行う。なお、図１の例では、光伝送装置１は１台だけの構成となっているが、実際には複数台の光伝送装置１が上位制御装置１９に接続されている。
【００２４】
ここで、プリアンプ１１は、例えば、ＥＤＦＡ（Erbium Doped Fiber Amplifier）によって構成され、希土類元素であるエルビウムの発光作用を増幅器として利用し、光伝送装置１に入力される複数の波長の光を含む波長多重光信号を増幅して出力する。なお、プリアンプ１１の出力光パワーは、制御装置１８によって制御される。制御の方法としては、利得一定制御や出力一定制御等がある。
【００２５】
フォトダイオード１２は、プリアンプ１１から出力される光信号を対応する電圧または電流を有する電気信号に変換して制御装置１８に出力する。制御装置１８は、フォトダイオード１２から出力される電気信号を参照して、プリアンプ１１から出力される光信号のパワーを検出する。なお、フォトダイオード１２は、光信号に含まれている全ての波長の信号を対応する電気信号に変換する。
【００２６】
スプリッタ１３は、入力された光信号を分岐して減衰させる。光クロスコネクト１４は、スプリッタ１３から出力された光信号に対して、他の伝送装置（不図示）から出力された光信号を付加する機能を有する。具体的には、プリアンプ１１に入力された光信号の波長数がｍである場合に、他の装置から付加される波長数がｎであり、遮断される波長数がｏである場合、ｍ＋ｎ−ｏの波長数の光信号を出力する。なお、光クロスコネクト１４は、可変減衰器（Variable Optical Attenuator：ＶＯＡ）１４ａを有しており、制御装置１８は、光チャンネルモニタ１５からの出力信号を参照し、新たに付加された波長の光のパワーが、スプリッタ１３から出力される波長の光のパワーと等しくなるように可変減衰器１４ａによって調整する。
【００２７】
光チャンネルモニタ１５は、光クロスコネクト１４から出力される光信号に含まれている複数の波長（チャンネル）の光のそれぞれのパワーをモニタし、制御装置１８に出力する。制御装置１８は、前述したように、光チャンネルモニタ１５からの出力に基づいて、可変減衰器１４ａを制御することにより、各波長の光パワーが等しくなるように制御する。
【００２８】
フォトダイオード１６は、光クロスコネクト１４から出力される光信号を対応する電圧または電流を有する電気信号に変換して制御装置１８に出力する。制御装置１８は、フォトダイオード１６から出力される電気信号を参照して、光クロスコネクト１４から出力される光信号のパワーを検出する。なお、フォトダイオード１６は、前述の場合と同様に、光信号に含まれている全ての波長の信号を対応する電気信号に変換する。
【００２９】
ブースタアンプ１７は、プリアンプ１１と同様に、例えば、ＥＤＦＡによって構成され、希土類元素であるエルビウムの発光作用を増幅器として利用し、光クロスコネクト１４から出力される複数の波長の光を含む波長多重光信号を増幅して出力する。なお、ブースタアンプ１７の出力光パワーは、制御装置１８によって制御される。制御の方法としては、前述の場合と同様に、利得一定制御や出力一定制御等がある。
【００３０】
制御装置１８は、図２に示すように、ＣＰＵ（Central Processing Unit）１８１、ＲＯＭ（Read Only Memory）１８２、ＲＡＭ（Random Access Memory）１８３、Ｉ／Ｆ１８４、および、バス１８５を主要な構成要素とし、図１に示す上位制御装置１９からの出力に基づいて、光クロスコネクト１４を制御するとともに、フォトダイオード１２，１６、および、光チャンネルモニタ１５の出力に基づいてプリアンプ１１、ブースタアンプ１７、および、可変減衰器１４ａを制御する。なお、制御装置１８のＲＯＭ１８２には、プログラム１８２ａおよびデータ１８２ｂが格納されている。プログラム１８２ａは、光伝送装置１の各部を制御するためのプログラムである。また、データ１８２ｂは、プログラム１８２ａによって各部を制御する際に必要なデータである。
【００３１】
つぎに、第１実施形態の動作について説明する。以下では、第１実施形態の動作の概略について説明した後に、図４に示すフローチャートを参照して、第１実施形態の動作の詳細について説明する。
【００３２】
まず、第１実施形態の動作の概要について説明する。なお、以下では、図３に示すように、プリアンプ１１に対して波長数ｍの光信号が入力され、光クロスコネクト１４において波長数ｎの光が付加（ａｄｄ）されるとともに、光クロスコネクト１４において波長数ｏの光が遮断（ｄｒｏｐ）される場合を例に挙げて説明する。
【００３３】
図３に示すように、プリアンプ１１に、波長数がｍである光信号が入力されると、プリアンプ１１は、制御装置１８の制御に応じて所定の利得で光信号を増幅して出力する。なお、制御装置１８はフォトダイオード１２の出力に基づいて、利得が所望の値になるようにプリアンプ１１を制御する。
【００３４】
プリアンプ１１によって増幅された光信号は、スプリッタ１３に供給される。このとき、フォトダイオード１２は、プリアンプ１１から出力された光信号のパワーを検出し、制御装置１８に供給する。なお、フォトダイオード１２は、プリアンプ１１から出力される光信号に含まれている全ての波長のパワーを検出して制御装置１８に供給する。この結果、制御装置１８では、全ての波長のパワーに対応する値としてのＰｏｕｔ＿ｔｏｔａｌを得る。
【００３５】
続いて、制御装置１８は、上位制御装置１９から供給される制御情報に含まれている波長数ｍの値によって、前述したＰｏｕｔ＿ｔｏｔａｌの値を除算することにより、１波長あたりの光パワーとしてのＰｏｕｔ＿ｍｏｎ（＝Ｐｏｕｔ＿ｔｏｔａｌ／ｍ）を求める。
【００３６】
プリアンプ１１から出力された光信号は、スプリッタ１３に入力され、そこで分岐によって減衰される。なお、スプリッタ１３における減衰をＬＯＳＳ＿ｓｐｌｉｔｔｅｒとする。
【００３７】
スプリッタ１３から出力された光信号は、光クロスコネクト１４に入力される。光クロスコネクト１４では、制御装置１８の制御に基づいて、他の光伝送装置から所定の波長数の光信号を入力してスプリッタ１３からの光信号に付加して出力するとともに、所定の波長数の光信号を遮断して出力する。なお、その際、制御装置１８は、光チャンネルモニタ１５からの出力を参照して可変減衰器１４ａを制御することにより、他の光伝送装置から供給された光信号に含まれる各波長のパワーが、スプリッタ１３から出力される光信号に含まれる各波長のパワーと等しくなるように調整する。これにより、光クロスコネクト１４から出力される光信号に含まれる各波長のパワーが等しい状態となる。
【００３８】
フォトダイオード１６は、光クロスコネクト１４から出力された光信号のパワーに対応する電気信号を出力する。制御装置１８は、フォトダイオード１６から入力した電気信号をブースタアンプ１７への光信号の入力パワーＰｉｎ＿ｔｏｔａｌとする。そして、制御装置１８は、以下の式に基づいて、ブースタアンプ１７に入力される光信号の各波長あたりの実測光パワーＰｉｎ＿ｍｏｎを算出する。
【００３９】
Ｐｉｎ＿ｍｏｎ＝Ｐｉｎ＿ｔｏｔａｌ／（ｍ−ｏ＋ｎ）・・・（１）
ここで、ｍはプリアンプ１１に入力される光信号の波長数であり、ｏは光クロスコネクト１４により付加される波長数であり、ｎは光クロスコネクト１４により遮断される波長数である。これらの情報ｍ，ｏ，ｎは、上位制御装置１９から制御情報として通知される。なお、（ｍ−ｏ＋ｎ）に代えて、光チャンネルモニタ１５によって検出されるチャンネル数（＝波長数）を用いるようにしてもよい。
【００４０】
つぎに、制御装置１８は、以下の式に基づいて、ブースタアンプ１７に入力される光信号の各波長の予想されるパワーとしての予想光パワーＰｉｎ＿ｃａｌｃを算出する。
【００４１】
Ｐｉｎ＿ｃａｌｃ＝Ｐｏｕｔ＿ｍｏｎ−Ｌｏｓｓ＿ｍｉｄ・・・（２）
【００４２】
ここで、Ｌｏｓｓ＿ｍｉｄは以下の式によって定義される。
Ｌｏｓｓ＿ｍｉｄ＝ＬＯＳＳ＿ｓｐｌｉｔｔｅｒ＋ＬＯＳＳ＿ａｄｄ＿ｏｘｃ＋ＬＯＳＳ＿ｖｏａ＋ＬＯＳＳ＿ｃｏｕｐｌｅｒ・・・（３）
【００４３】
なお、ＬＯＳＳ＿ｓｐｌｉｔｔｅｒは、スプリッタ１３における損失であり、ＬＯＳＳ＿ａｄｄ＿ｏｘｃは、光クロスコネクト１４における損失であり、ＬＯＳＳ＿ｖｏａは、可変減衰器１４ａにおける損失であり、ＬＯＳＳ＿ｃｏｕｐｌｅｒは、プリアンプ１１からブースタアンプ１７までの間に存在するファイバカプラの損失である。
【００４４】
また、Ｐｏｕｔ＿ｍｏｎは、前述のように以下の式で表される。
Ｐｏｕｔ＿ｍｏｎ＝Ｐｏｕｔ＿ｔｏｔａｌ／ｍ・・・（４）
【００４５】
つづいて、制御装置１８は、実測光パワーＰｉｎ＿ｍｏｎと、予想光パワーＰｉｎ＿ｃａｌｃとを比較し、実測光パワーＰｉｎ＿ｍｏｎが予想光パワーＰｉｎ＿ｃａｌｃよりも小さい場合（あるいは所定量以上小さい場合）には、光伝送装置１内部において不具合が生じたと判定する。すなわち、予想光パワーＰｉｎ＿ｃａｌｃは、光伝送装置１の内部に不具合が生じていない場合には、実測光パワーＰｉｎ＿ｍｏｎと略等しくなる。しかしながら、これらが等しくならない場合には、数式に含まれていない損失（すなわち、不具合によって生じる損失）が発生したと判断する。
【００４６】
つぎに、制御装置１８は、自己回復処理を実行する。具体的には、プリアンプ１１またはブースタアンプ１７の出力を増大したり、あるいは、可変減衰器１４ａの減衰率を減少させたりすることにより、予想光パワーＰｉｎ＿ｃａｌｃと実測光パワーＰｉｎ＿ｍｏｎが等しくなるように制御することを試みる。その結果、これらが等しくなった場合にはそのままの状態を維持し、また、自己回復処理によっても所望のパワーまで増大できなかった場合には、制御装置１８は、不具合の発生を上位制御装置１９に対して通知する。
【００４７】
このような通知を受けた上位制御装置１９は回復処理を実行する。具体的には、上位制御装置１９の制御により、不具合が発生している波長とは異なる波長を用いるように変更を施すことで、回復処理を実行する。あるいは、光伝送装置１が使用不能になった場合には、上位制御装置１９の制御により、当該光伝送装置１の使用を停止するとともに、他の光伝送装置によって処理を代替させることにより回復処理を実行する。なお、それでも回復が図れない場合には、不具合が発生している光伝送装置１を交換する。
【００４８】
以上の処理によれば、光伝送装置１を構成する各光モジュール（プリアンプ１１、スプリッタ１３、光クロスコネクト１４、および、ブースタアンプ１７）が独自に異常検出をして、上位制御装置１９に個別に通知する場合に比較すると、以下のメリットがある。
【００４９】
（１）波長単位で予想光パワーと実測光パワーを求めてこれらを比較するようにしたので、装置内において波長数の増減があった場合でも、不具合の発生の有無を正確に判断することができる。
（２）予想光パワーを求める際には、装置内部における損失も考慮するようにしたので、予想光パワーの計算精度を高めることにより、不具合の発生を正確に判断することができる。
（３）不具合が発生した場合には、各光伝送装置において自己回復処理を実行し、それでも回復が図れない場合に、上位制御装置１９に通知するようにしたので、上位制御装置１９にかかる負担を更に軽減することができる。
【００５０】
つぎに、図４を参照して、図２に示す制御装置１８において実行される処理の詳細について説明する。なお、この処理は、図２に示すプログラム１８２ａがＣＰＵ１８１によって読み出されて実行されることにより実現される。
【００５１】
ステップＳ１０：ＣＰＵ１８１は、上位制御装置１９から制御情報を受信する。具体的には、ＣＰＵ１８１は、上位制御装置１９から、例えば、各光モジュールに対する制御情報や、プリアンプ１１に入力される光信号の波長数ｍ、光クロスコネクト１４により付加される波長数ｏ、光クロスコネクト１４に遮断される波長数ｎ等の情報を受信する。
【００５２】
ステップＳ１１：ＣＰＵ１８１は、ステップＳ１０で取得した制御情報が前回から変化しているか否かを判断し、変化している場合（ステップＳ１１；ＹＥＳ）にはＳ１２に進み、それ以外の場合（ステップＳ１１；ＮＯ）にはステップＳ１４に進む。例えば、波長数ｍが増加（または減少）した場合にはステップＳ１２に進む。
【００５３】
ステップＳ１２：ＣＰＵ１８１は、新たな制御情報に基づいて予想光パワーＰｉｎ＿ｃａｌｃの値を再計算する。具体的には、ＣＰＵ１８１は、フォトダイオード１２から供給される全ての波長のパワーに対応する値としてのＰｏｕｔ＿ｔｏｔａｌを、ステップＳ１０で受信した制御情報に含まれている波長数ｍで除算することにより、波長単位の光パワーＰｏｕｔ＿ｍｏｎを求める。つぎに、ＣＰＵ１８１は、例えば、データ１８２ｂに含まれる既定値としてのＬＯＳＳ＿ｓｐｌｉｔｔｅｒ、ＬＯＳＳ＿ａｄｄ＿ｏｘｃ、ＬＯＳＳ＿ｖｏａ、および、ＬＯＳＳ＿ｃｏｕｐｌｅｒを加算した値としてのＬｏｓｓ＿ｍｉｄを、Ｐｏｕｔ＿ｍｏｎから減算することにより、Ｐｉｎ＿ｃａｌｃを得る。
【００５４】
ステップＳ１３：ＣＰＵ１８１は、ステップＳ１０で受信した制御情報に基づいて各光モジュールを制御する。具体的には、ＣＰＵ１８１は、制御情報に基づいて、例えば、光クロスコネクト１４を制御する。
【００５５】
ステップＳ１４：ＣＰＵ１８１は、フォトダイオード１６の検出値をＰｉｎ＿ｔｏｔａｌとして取得する。すなわち、ＣＰＵ１８１は、フォトダイオード１６から出力されている全ての波長に対する光パワーの検出値をＰｉｎ＿ｔｏｔａｌとして取得する。
【００５６】
ステップＳ１５：ＣＰＵ１８１は、Ｓ１４において取得したモニタ値からＰｉｎ＿ｍｏｎを計算する。具体的には、ＣＰＵ１８１は、プリアンプ１１に入力される光信号の波長数ｍ、光クロスコネクト１４により付加される波長数ｏ、光クロスコネクト１４に遮断される波長数ｎを、ステップＳ１０において受信した制御情報から取得し、式（１）に基づいてＰｉｎ＿ｍｏｎを計算する。なお、前述のように、（ｍ−ｏ＋ｎ）に代えて、光チャンネルモニタ１５によって検出されるチャンネル数（＝波長数）を用いるようにしてもよい。
【００５７】
ステップＳ１６：ＣＰＵ１８１は、Ｐｉｎ＿ｍｏｎ＜Ｐｉｎ＿ｃａｌｃを満たすか否かを判定し、満たす場合（ステップＳ１６；ＹＥＳ）にはステップＳ１７に進み、それ以外の場合（ステップＳ１６；ＮＯ）にはステップＳ２０に進む。
【００５８】
ステップＳ１７：ＣＰＵ１８１は、自己回復処理を実行する。具体的には、ＣＰＵ１８１は、プリアンプ１１および／またはブースタアンプ１７の出力を増大し、Ｐｉｎ＿ｍｏｎが正常な範囲に収まるか否かを検出する。あるいは、ＣＰＵ１８１は、可変減衰器１４ａの減衰率を減少させ、Ｐｉｎ＿ｍｏｎが正常な範囲に収まるか否かを検出する。
【００５９】
ステップＳ１８：ＣＰＵ１８１は、ステップＳ１７の自己回復処理により、Ｐｉｎ＿ｍｏｎが正常な範囲に収まったか否か（回復したか否か）を判定し、回復した場合（ステップＳ１８；ＹＥＳ）にはステップＳ２０に進み、それ以外の場合（ステップＳ１８；ＮＯ）にはステップＳ１９に進む。
【００６０】
ステップＳ１９：ＣＰＵ１８１は、異常が発生したことを上位制御装置１９に対して通知し、上位制御装置１９による回復処理の実行を待つ。なお、このとき、ＣＰＵ１８１が上位制御装置１９に対して、例えば、不具合が生じている波長（チャンネル）に関する情報についても併せて通知するようにしてもよい。不具合が生じているチャンネルを知る方法としては、例えば、光チャンネルモニタ１５の出力を参照し、検出値が低いチャンネルに不具合が生じていると判断することができる。なお、上位制御装置１９では、不具合が発生している波長とは異なる波長を用いるように変更を施すことで、回復処理を実行する。あるいは、光伝送装置１が使用不能になった場合には、上位制御装置１９の制御により、当該光伝送装置１の使用を停止するとともに、他の光伝送装置によって処理を代替させることにより回復処理を実行する。なお、それでも回復が図れない場合には、不具合が発生している光伝送装置１を交換するように管理者に指示し、その交換を待つ。
【００６１】
ステップＳ２０：ＣＰＵ１８１は、処理を終了するか否かを判定し、終了しない場合（ステップＳ２０；ＮＯ）にはステップＳ１０に戻って同様の処理を繰り返し、それ以外の場合（ステップＳ２０；ＹＥＳ）には処理を終了する。具体的には、例えば、光伝送装置１をシステムから取り外す場合には、ステップＳ２０においてＹＥＳと判定されて処理を終了する。なお、これ以外の理由（例えば、上位制御装置１９から動作停止が指示された場合）で処理を終了することも可能である。
【００６２】
以上の処理によれば、前述したように、装置内において波長数の増減があった場合でも、不具合の発生の有無を正確に判断することができる。また、装置内部における損失も考慮して予想光パワーを求めるようにしたので、不具合の発生を正確に判断することができる。さらに、不具合が発生した場合には、各光伝送装置において自己回復処理を実行し、それでも回復が図れない場合に、上位制御装置１９に通知するようにしたので、上位制御装置１９にかかる負担を更に軽減することができる。
【００６３】
（Ｂ）第２実施形態
図５は、本発明の第２実施形態について説明するための図である。なお、この図において図１と対応する部分には同一の符号を付してあるので、その説明は省略する。図５に示す第２実施形態では、図１の場合と比較して、光チャンネルモニタ２０がプリアンプ１１とスプリッタ１３との間に新たに追加されている。これ以外の構成は、図１の場合と同様である。
【００６４】
第２実施形態では、プリアンプ１１に入力される光信号に含まれている波長数ｍを上位制御装置１９から取得するのではなく、光チャンネルモニタ２０から取得する点が第１実施形態と異なっている。それ以外の動作については、第１実施形態の場合と同様である。なお、光チャンネルモニタ２０は、光信号に含まれている全ての波長の光を検出するためにはある程度の時間を要する。そのため、例えば、入力される光信号に含まれる波長の数が変化した場合、当該変化が検出されるまでにはある程度の時間を要する。したがって、図４の処理では、ステップＳ１１において、制御情報（この例ではｍ）が変化するか否かを、光チャンネルモニタ２０の検出に要する時間（全てのチャンネルを検出するために要する時間）よりも長い時間だけ監視し、変化がない場合にはステップＳ１４に進み、それ以外の場合にはステップＳ１２に進むようにすればよい。
【００６５】
このような第２実施形態によれば、上位制御装置１９から制御情報を受信する必要がなくなるので、上位制御装置１９との間の通信に必要な処理を省略することで、上位制御装置１９にかかる負荷を軽減することができる。また、光伝送装置１が単独で不具合の発生の検出と、自己回復処理とを実行することが可能になるので、上位制御装置１９にかかる負担を一層軽減することができる。
【００６６】
なお、ブースタアンプ１７に入力される光信号の波長を検出するために、光チャンネルモニタ１５を用いるようにしてもよい。なお、その場合には、前述の場合と同様に、光チャンネルモニタ１５による全波長の検出に要する時間以上、ステップＳ１１の処理を繰り返すようにすればよい。
【００６７】
（Ｃ）第３実施形態
図６は、本発明の第３実施形態について説明するための図である。なお、この図において図１と対応する部分には同一の符号を付してあるので、その説明は省略する。図６に示す第３実施形態では、図１の場合と比較して、スプリッタ１３が光クロスコネクト３０に置換されている。それ以外の構成は、図１の場合と同様である。
【００６８】
第３実施形態では、図７に示すように、光クロスコネクト３０において、プリアンプ１１から出力される波長数ｍの光信号から、波長数ｐの光信号が他の光伝送装置に転送される。なお、それ以外の波長数の増減は、図１の場合と同様である。
【００６９】
第３実施形態では、以下の式に基づいてＰｉｎ＿ｃａｌｃを算出する。
Ｐｉｎ＿ｃａｌｃ＝Ｐｏｕｔ＿ｍｏｎ−Ｌｏｓｓ＿ｍｉｄ  ・・・（５）
ここで、Ｌｏｓｓ＿ｍｉｄ、および、Ｐｏｕｔ＿ｍｏｎは以下の式で表される。
Ｌｏｓｓ＿ｍｉｄ＝ＬＯＳＳ＿ｄｒｏｐ＿ｏｘｃ＋ＬＯＳＳ＿ａｄｄ＿ｏｘｃ＋ＬＯＳＳ＿ｖｏａ＋ＬＯＳＳ＿ｃｏｕｐｌｅｒ  ・・・（６）
Ｐｏｕｔ＿ｍｏｎ＝Ｐｏｕｔ＿ｔｏｔａｌ／ｍ  ・・・（７）
なお、ＬＯＳＳ＿ｄｒｏｐ＿ｏｘｃは、光クロスコネクト３０における損失である。
【００７０】
また、Ｐｉｎ＿ｍｏｎは以下の式で算出する。
Ｐｉｎ＿ｍｏｎ＝Ｐｉｎ＿ｔｏｔａｌ／（ｍ−ｐ−ｏ＋ｎ）  ・・・（８）
【００７１】
そして、第３実施形態では、第１実施形態と同様に、実測光パワーＰｉｎ＿ｍｏｎと予想光パワーＰｉｎ＿ｃａｌｃとの比較により、不具合の発生の有無を判断する。
【００７２】
以上に説明したように本発明の第３実施形態によれば、光クロスコネクト３０を設けて光信号に含まれる波長の一部を他の光伝送装置に転送するようにした場合であっても、不具合の発生を正確に判断することができる。
【００７３】
（Ｄ）第４実施形態
図８は、本発明の第４実施形態について説明するための図である。なお、この図において図１と対応する部分には同一の符号を付してあるので、その説明は省略する。図８に示す第４実施形態では、図１の場合と比較して、プリアンプ１１の入力側にフォトダイオード４０が追加されている。また、図８の例では、光クロスコネクト１４において他の光伝送装置からの入力が遮断された状態とされている。さらに、図８の例では、各光モジュールが不図示の制御部をそれぞれ有しており、各制御部が入力の有無に応じてアラームを発するように構成されている。例えば、ブースタアンプ１７が有する制御部は、フォトダイオード１６の出力に基づいて、入力が遮断状態になった場合には、アラームを制御装置
１８に対して発出する。なお、これ以外の構成は、図１の場合と同様である。
【００７４】
本発明の第４実施形態では、フォトダイオード１６によって、ブースタアンプ１７の入力が遮断されたことが検出された場合であっても、所定の条件が満たされている場合には、制御装置１８は光伝送装置１内部の不具合とは判断しない。これについて以下に説明する。
【００７５】
ブースタアンプ１７への入力が遮断される場合を考えると、以下のいずれかの場合が想定される。
（１）プリアンプ１１への入力が無い場合（フォトダイオード４０の出力が“０”か、それに近い場合）
（２）プリアンプ１１の出力が遮断されている場合
（３）光クロスコネクト１４が光信号に含まれる全ての波長の光を遮断している場合
また、これら以外にも以下の条件を満たす必要がある。
（４）光クロスコネクト１４において付加される信号が無い場合
【００７６】
さらに、図９に示すように、スプリッタ１３に代えて、光クロスコネクト３０を使用する場合には、（５）光クロスコネクト３０が全ての波長の光を遮断している場合が、前述の（１）〜（３）に加えて想定される。すなわち、（１）〜（３），（５）のいずれかに該当するとともに、（４）に該当すれば、ブースタアンプ１７への入力が遮断される。なお、図９の構成は図８の場合と比較すると、スプリッタ１３が光クロスコネクト３０に置換されている以外は、図８の場合と同様である。すなわち、各光モジュールは、固有の制御部を有しており、不具合が生じた場合には制御装置１８に通知する。
【００７７】
第４実施形態では、例えば、光伝送装置１の下流側において不具合が生じて光伝送装置１を迂回させる必要が生じた場合には、ブースタアンプ１７への入力が遮断状態であることが検出されても、それを無視する制御を行うことを特徴とする。具体的には、光伝送装置１の下流側において不具合が生じた場合には、制御装置１８は、上位制御装置１９からの指示に基づいて、光伝送装置１を迂回させるために、例えば、光クロスコネクト１４によって全ての波長の光を遮断状態とするか、あるいは、光クロスコネクト３０によって全ての波長の信号を遮断状態とする。このような場合、ブースタアンプ１７への入力が遮断状態となる。このとき、ブースタアンプ１７が前述した固有の制御部を有している場合、制御装置１８には、ブースタアンプ１７の制御部から異常が生じた旨が通知される。しかしながら、第４実施形態においては、制御装置１８は、上位制御装置１９から遮断する指示を受けている場合には、ブースタアンプ１７からの異常の通知を無視する。
【００７８】
従来においては、各光モジュールによって検出された異常は、上位制御装置に全て通知されていたため、上位制御装置１９は異常の通知を受けると、異常の発生に対処するための処理を実行するとともに、異常が発生した光モジュールを一定期間監視する必要が生じるための負荷が生じていた。しかしながら、第４実施形態では、前述のように、光モジュールで異常が生じた場合であっても、所定の条件が満たされている場合には、制御装置１８が判断して、これを無視するようにしたので、上位制御装置１９にかかる負担を軽減することができる。なお、ブースタアンプ１７からの異常の通知を、制御装置１８側でマスクすることにより無効とすることができる場合には、無視するのではなく、マスクすることにより無効としてもよい。
【００７９】
以上に説明したように、本発明の第４実施形態では、ブースタアンプ１７の入力が遮断状態になっている場合であっても、所定の条件を満たす場合には、これを無視することで、上位制御装置１９にかかる負担を軽減することができる。
【００８０】
（Ｅ）第５実施形態
本発明の第５実施形態は、図９と同様の構成を有している。すなわち、スプリッタ１３に代えて、光クロスコネクト３０を有している。このような場合において、前述の場合と同様に、光伝送装置１よりも下流側において不具合が生じ、光伝送装置１を迂回する必要が生じた場合には、上位制御装置１９は、制御装置１８に対して光信号を遮断するように指示する。この結果、制御装置１８は、光クロスコネクト３０によって全ての波長の信号を遮断するように設定する。この結果、図９に示すように、プリアンプ１１から出力された全ての波長の信号は、光クロスコネクト１４には出力されない。
【００８１】
ところで、図９において、光クロスコネクト１４に対する光信号の入力が遮断されるのは、以下の場合である。
（１）プリアンプ１１への光信号の入力がない場合
（２）プリアンプ１１の出力が遮断されている場合
（３）全ての波長の光信号が光クロスコネクト３０によって遮断されている場合
【００８２】
これらは、光クロスコネクト１４よりも上流側で発生しており、また、制御装置１８は、これらの条件が成立していることを知っている。このような場合において、光クロスコネクト１４が固有の制御部を有しているとすると、制御装置１８は、光クロスコネクト１４の制御部から入力が遮断状態である旨の通知がなされた場合であっても、これを無視する。これにより、前述の場合と同様に、つぎのような効果が得られる。すなわち、従来は、各光モジュールによって検出された異常は、上位制御装置に全て通知されていたため、上位制御装置は異常の通知を受けると、異常の発生に対処するための処理を実行するとともに、異常が発生した光モジュールを一定期間監視する必要が生じるための負荷が生じていた。しかしながら、第５実施形態では、前述のように、光クロスコネクト１４で入力断が生じた場合であっても、所定の条件が満たされている場合には、制御装置１８が判断して、これを無視するようにしたので、上位制御装置１９にかかる負担を軽減することができる。なお、光クロスコネクト１４からの異常の通知を、制御装置１８側でマスクすることにより無効とすることができる場合には、無視するのではなく、マスクすることにより無効としてもよい。
【００８３】
以上に説明したように、本発明の第５実施形態では、光クロスコネクト１４の入力が遮断状態になっている場合であっても、所定の条件を満たす場合には、これを無視することで、上位制御装置１９にかかる負担を軽減することができる。
【００８４】
（Ｆ）第６実施形態
本発明の第６実施形態は、図９と同様の構成を有している。すなわち、スプリッタ１３に代えて、光クロスコネクト３０を有している。このような場合において、光クロスコネクト３０が固有の制御部を有しているとすると、プリアンプ１１からの出力がない場合には、光クロスコネクト３０の制御部から制御装置１８に対して異常が通知されるが、制御装置１８は当該異常の通知を無視する。すなわち、図９において、光クロスコネクト３０に対する光信号の入力が遮断されるのは、以下のいずれかの場合である。
（１）プリアンプ１１への光信号の入力がない場合
（２）プリアンプ１１の出力が遮断している場合
【００８５】
制御装置１８は、プリアンプ１１を制御しており、これらの条件が成立していることを知ることができる。このため、これらのいずれかの条件が成立している場合において、光クロスコネクト３０の制御部から異常の通知がなされた場合には、制御装置１８は、当該通知を無視する。これにより、上位制御装置１９にかかる負担を軽減することができる。なお、光クロスコネクト３０からの異常の通知を、制御装置１８側でマスクすることにより無効とすることができる場合には、無視するのではなく、マスクすることにより無効としてもよい。
【００８６】
以上に説明したように、本発明の第６実施形態では、光クロスコネクト３０の入力が遮断状態になっている場合であっても、所定の条件を満たす場合には、これを無視することで、上位制御装置１９にかかる負担を軽減することができる。
【００８７】
（Ｇ）第７実施形態
本発明の第７実施形態は、本発明の第４実施形態において、所定の条件下において、ブースタアンプ１７への光信号の入力が遮断された場合に、ブースタアンプ１７の出力が劣化した旨の通知を無視する。すなわち、第７実施形態では、図１０に示す構成において、ブースタアンプ１７への入力が無いことが分かっている以下の場合には、フォトダイオード４１によってブースタアンプ１７から出力が劣化したことが検出された場合であっても、これを無視する。あるいは、これをマスクする。
（１）光伝送装置１への入力が無い場合
（２）プリアンプ１１の出力が遮断状態になっている場合
（３）図１０のスプリッタ１３に代えて光クロスコネクト３０が付加されている場合に、光クロスコネクト３０により全ての波長の光信号が遮断されているとき
【００８８】
なお、図１０に示す構成は、図８の場合に比較すると、ブースタアンプ１７の出力側にフォトダイオード４１が新たに追加されている。ブースタアンプ１７の不図示の制御部は、フォトダイオード４１の出力に基づいて、ブースタアンプ１７の出力が遮断状態となっている場合には、アラームを発出する。これ以外の構成は、図８の場合と同様である。
【００８９】
以上に説明したように、本発明の第７実施形態では、ブースタアンプ１７の出力が劣化している場合であっても、所定の条件を満たす場合には、これを無視することで、上位制御装置１９にかかる負担を軽減することができる。
【００９０】
（Ｈ）第８実施形態
本発明の第８実施形態は、図１に示す構成において、光クロスコネクト１４の波長の選択設定情報と、ブースタアンプ１７の入力情報を用いて、制御装置１８が光クロスコネクト１４の内部故障を検出する。すなわち、光クロスコネクト１４の機能としては、（１）入力された光信号のうち所定の波長の信号を下流に通過させる機能、（２）入力された光信号のうち所定の波長の光信号を遮断する機能、（３）他の光伝送装置からの光信号を付加して出力する機能を有している。
【００９１】
ここで、光クロスコネクト１４により選択されて通過される波長数をｑとし、光クロスコネクト１４により他の光伝送装置から付加される波長数をｎとする。この場合、光クロスコネクト１４は制御装置１８から制御されるので、制御装置１８はこれらｑ，ｎに関する情報を有している。ここで、光クロスコネクト１４から光出力が存在する設定（ｑ，ｎの少なくとも一方が１以上）となっているにも関わらず、ブースタアンプ１７への光信号の入力が遮断状態となった場合、光クロスコネクト１４の不具合により光出力が無くなったと判定することができる。
【００９２】
従来においては、光クロスコネクト１４の直後に配置されている光チャンネルモニタ１５で信号の有無を検出して不具合を検出していた。しかしながら、光チャンネルモニタ１５はフォトダイオード１６と比較して検出速度が遅いため、不具合により信号が遮断されたことを検出するのに時間を要していた。一方、第８実施形態では、設定情報と、フォトダイオード１６の出力とに基づいて判断することから、光クロスコネクト１４の不具合を瞬時に検出することができる。そして、このようにして検出した不具合を、上位制御装置１９に通知することで上位制御装置１９は光信号を他の光伝送装置に迂回させるなどの対応を迅速に行うことができる。これにより、光信号が遮断される時間を少なくすることができるので、システム全体の信頼性を高めることができる。
【００９３】
以上に説明したように、本発明の第８実施形態では、光クロスコネクト１４の設定情報と、フォトダイオード１６の出力に基づいて、光クロスコネクト１４の不具合の有無を検出するようにしたので、不具合の有無を瞬時に判断することができるとともに、上位制御装置１９による早期の回復処理を実行することができる。
【００９４】
（Ｉ）第９実施形態
第９実施形態では、例えば、図１に示す構成において、制御装置１８が光伝送装置１に含まれる光モジュールにおいて異常が発生した場合に、他の光モジュールにおける異常の発生の有無を判断することで、原因となる光モジュールを特定するとともに、当該光モジュールの下流の光モジュールについては異常を検出していたとしても、正常であると判断する。すなわち、従来においては、各光モジュールにおいて入力遮断状態を検出し、各々のインターフェースコネクタの異常を通知する「アラーム発出信号ピン」から入力断アラームを出力していた。具体的には、入力断アラームを検出する光モジュールは、プリアンプ１１、光クロスコネクト１４、ブースタアンプ１７の３つある。各々の光モジュールに具備された制御装置が入力パワーを常時監視し、閾値と比較して異常を検出して上位制御装置１９に通知する。
【００９５】
ここで、光クロスコネクト１４の入力パワーは、プリアンプ１１の出力パワーに依存している。プリアンプ１１がシャットダウン中は光クロスコネクト１４への入力がなくなることは明らかである。従来の光モジュール毎の制御では、光クロスコネクト１４はプリアンプ１１のシャットダウン状態を知ることができなかったため、光クロスコネクト１４はプリアンプ１１の状態に関わらず一律に入力断アラームを発出していた。
【００９６】
そこで、従来、光モジュールがそれぞれ具備していた制御装置を統合して１つの制御装置１８とすることで、統合された制御装置１８は、光クロスコネクト１４の入力断の原因がプリアンプ１１の出力がないためと判断できる。この場合、光クロスコネクト１４の入力断は光クロスコネクト１４自身の異常ではない。光クロスコネクト１４から上位制御装置１９への入力断アラーム通知を削減することが可能である。これにより、これまで光モジュールの数だけ必要であった入力断アラームの数を減らすことができ、上位制御装置１９と光モジュール間のアラーム信号数を減らすことができるため、インターフェースの小型化を図ることができる。
【００９７】
以上に説明したように、本発明の各実施形態によれば、上位制御装置１９、および、制御装置１８の両者にとって、不具合発生時におけるアラームのメンテナンスを簡便にすることができる。すなわち、各実施形態の光伝送装置は、その時点で発出中である全個別アラームと、障害要因アラームとを別々に上位制御装置へ通知できるため、従来、上位制御装置で対応してきたアラームの解析処理を、制御装置で高速に実施することができる。このため、障害切り分けや事後処理（例えば、経路切換処理など）を迅速に実行することができるため、信頼性や安全性の高い通信システムを構築することができる。
【００９８】
また、従来は、閾値を超えるか否かに基づいて判定していた信号光の入力レベルアラームを、光モジュールの統合によって光伝送装置内の全ての光モジュールの情報を集約して解析することで、信号光が部分的に劣化していることを判定できるようになったため、伝送装置の内部異常を検出することが可能になる。また、光伝送装置内に複数存在する光モジュールを統合することで、アラームがどの光モジュールが原因で発生しているか自己判定できる。これによって、上位制御装置１９はアラームの発生箇所を判定する必要がなくなり、負荷の軽減となる。また、光伝送装置にとっても、入力断アラームが発生した箇所から下流については、アラーム監視を行わなくてよいため、負荷の軽減となる。さらに、光クロスコネクトの信号波長選択情報と光入力パワーモニタ情報を組み合わせることで、高速に内部故障を検出することができる。これにより、上位制御装置１９は信号経路の迂回を迅速に行うことができ、通信断を最小限にすることができる。また、冗長であった入力断アラームを削減することができるため、インターフェースコネクタの信号線削減・小型化を図ることができる。
【００９９】
（Ｊ）変形実施形態
なお、上記の各実施形態は、一例であって、これ以外にも各種の変形実施態様が存在する。例えば、以上の各実施形態では、制御装置１８を設けるようにしたが、例えば、各光モジュールに制御部をそれぞれ設け、各制御部が通信による情報交換によって状態を認識するとともに、規定のあるいは任意の制御部が上位制御装置１９に対して不具合の発生を報告するようにしてもよい。
【０１００】
また、以上の各実施形態では、実測光パワーＰｉｎ＿ｍｏｎと予想光パワーＰｉｎ＿ｃａｌｃの大小によって不具合の有無を検出するようにしたが、例えば、所定の閾値Ｍを設定し、実測光パワーＰｉｎ＿ｍｏｎが、予想光パワーＰｉｎ＿ｃａｌｃ−Ｍよりも小さくなった場合に、不具合と判断するようにしてもよい。
【符号の説明】
【０１０１】
１，１Ａ，１Ｂ，１Ｃ，１Ｄ，１Ｅ  光伝送装置
１１  プリアンプ
１２  フォトダイオード（第１検出手段）
１６  フォトダイオード（第２検出手段）
１３  スプリッタ（増減手段）
１４  光クロスコネクト（増減手段）
１４ａ  可変減衰器
１５  光チャンネルモニタ
１７  ブースタアンプ
１８  制御装置（第１算出手段、第２算出手段、判定手段、回復手段）
１９  上位制御装置
４０，４１  フォトダイオード
１８１  ＣＰＵ
１８２  ＲＯＭ
１８３  ＲＡＭ
１８４  Ｉ／Ｆ
１８５  バス
【図１】
2011151584.tif 000003
【図２】
2011151584.tif 000004
【図３】
2011151584.tif 000005
【図４】
2011151584.tif 000006
【図５】
2011151584.tif 000007
【図６】
2011151584.tif 000008
【図７】
2011151584.tif 000009
【図８】
2011151584.tif 000010
【図９】
2011151584.tif 000011
【図１０】
2011151584.tif 000012